(57)【要約】【課題】ブラシ棒の回転方向を外部に表示して、使用者が易しく確認することができ、使用者の間違いなどによってバッテリーが無駄に消耗することを防止する電動マスカラを提供する。【解決手段】内部にバッテリー１７１を収納する主本体１１０と、バッテリーと電気的に連結可能に主本体１１０に固定設置され、ブラシ棒１６２を回転させるためのモーター組立体１５０と、主本体１１０の外周面に回転可能に結合される回転体１３０と、回転体１３０に固定設置され、モーター組立体１５０の作動を制御するための制御基板１４０と、制御基板１４０に取り付けられ、モーター組立体１５０の回転方向を外部に表示するための表示ランプ１４９ａ、１４９ｂとを含む。【選択図】図１
2007215987.tif 000002
【特許請求の範囲】
【請求項１】
ブラシ棒を回転させるための駆動手段と；
前記駆動手段を制御するための制御手段と；
前記制御手段に電気的に連結されて制御され、前記駆動手段の回転方向を外部に表示するための表示手段と；
を含むことを特徴とする、電動マスカラ。
【請求項２】
前記制御手段に電気的に連結されて前記駆動手段の作動を制御するための作動手段をさらに含み、前記作動手段は、前記表示手段の表示後に作動可能であることを特徴とする、請求項１に記載の電動マスカラ。
【請求項３】
前記作動手段はドーム形のスイッチであることを特徴とする、請求項２に記載の電動マスカラ。
【請求項４】
前記表示手段は発光ランプまたは発光ダイオードであることを特徴とする、請求項１または２に記載の電動マスカラ。
【請求項５】
前記駆動手段および前記制御手段と外部電源を電気的に連結するための開閉手段をさらに含むことを特徴とする、請求項１または２に記載の電動マスカラ。
【請求項６】
内部にバッテリーを収納する主本体と；
前記バッテリーと電気的に連結されるように前記主本体に固定設置され、ブラシ棒を回転させるためのモーター組立体と；
前記主本体の外周面に回転可能に結合される回転体と；
前記回転体に固定設置され、前記モーター組立体の作動を制御するための制御基板と；
前記制御基板に設置され、前記モーター組立体の回転方向を外部に表示するための表示ランプと；
を含むことを特徴とする、電動マスカラ。
【請求項７】
前記回転体に回転を与えるために、前記主本体と結合される副本体をさらに含み、前記副本体には、前記ブラシ棒を保管するためのブラシ棒保管容器が着脱可能に結合されることを特徴とする、請求項６に記載の電動マスカラ。
【請求項８】
前記回転体の端側に固定設置される弾性ピンをさらに含み、前記弾性ピンには、前記回転体の回転の時、前記主本体に形成された少なくとも一つの溝に選択的に挿入される突起が形成されることを特徴とする、請求項６に記載の電動マスカラ。
【請求項９】
前記制御基板に電気的に連結されて前記モーター組立体の作動を制御するための作動スイッチをさらに含み、前記作動スイッチは前記表示ランプの表示後に作動可能であることを特徴とする、請求項６〜８のいずれか一項に記載の電動マスカラ。
【請求項１０】
前記作動スイッチはドーム形であることを特徴とする、請求項９に記載の電動マスカラ。
【請求項１１】
前記表示ランプは発光ランプまたは発光ダイオードであることを特徴とする、請求項６〜８のいずれか一項に記載の電動マスカラ。
【請求項１２】
前記モーター組立体および前記制御基板と前記バッテリーを電気的に連結するための開閉スイッチをさらに含むことを特徴とする、請求項６〜８のいずれか一項に記載の電動マスカラ。
【発明の詳細な説明】
【技術分野】
【０００１】
本発明はマスカラに係り、より詳しくはまつげを手入れするためのブラシ棒が自動に駆動される電動マスカラに関するものである。
【背景技術】
【０００２】
マスカラはまつげが長くて濃く見えるように手入れするのに使用される化粧品の一種で、従来には使用者が指や手首をもってマスカラを所望方向に回しながらまつげの手入れを行った。
【０００３】
しかし、このようなマスカラは化粧に慣れた使用者も一度に完璧にマスカラを行うことが易しくないだけでなく、まだマスカラ使用に慣れていないメーキャップ素人がマスカラをきれいに塗ることは非常に難しいことであった。
【０００４】
このような難しさを解決するために、近来、ブラシ棒が自動に回転してマスカラを塗ることができる電動マスカラが紹介されて使用者に大きな人気を呼んでいる。このような電動マスカラの一例が特許文献１に開示されている。
【０００５】
このような従来の電動マスカラは、電動マスカラブラシとマスカラ容器から構成され、電動マスカラブラシは、ブラシヘッド、ブラシが固定されて芯の機能をするブラシ軸、および中空取っ手を含む。また、取っ手の内部に取り付けられるギア組立体によって、モーターの回転力が所望回転数まで減速してブラシ軸とブラシヘッドが回転される。また、取っ手の外部に設けられたスライド式スイッチによって、モーターの作動開始、停止および回転方向が制御される。
【０００６】
しかし、前述した構成を持つ従来技術の電動マスカラは、ブラシ棒の回転方向、すなわちモーターの回転方向を外部に表示する手段なしに、使用者がまつげを手入れする前に電動マスカラを予め作動させてブラシ棒の回転方向を確認した後に手入れ作業を行わなければならない煩わしさがあった。
【０００７】
また、使用者の間違いなどでスイッチがオンされてブラシ棒が回転する状態でも、マスカラ容器を開けない限り、電動マスカラの作動状態を易しく確認することができないため、バッテリーが無駄に消耗するおそれがあった。
【０００８】
【特許文献１】特開第２００５−９５５３１号公報
【発明の開示】
【発明が解決しようとする課題】
【０００９】
したがって、本発明は前述した従来技術の問題点を解決するためになされたもので、本発明の目的は、ブラシ棒の回転方向、すなわちモーターの回転方向を外部に表示することで、使用者がこれを易しく確認することができる電動マスカラを提供することである。
【００１０】
また、本発明の他の目的は、モーターの作動が２段階に行われるように、すなわち回転方向選択後に作動選択が行われるようにすることにより、使用者の間違いなどによってバッテリーが無駄に消耗することを防止することができる電動マスカラを提供することである。
【課題を解決するための手段】
【００１１】
前述した本発明の目的を達成するために、本発明は、ブラシ棒を回転させるための駆動手段と；前記駆動手段を制御するための制御手段と；前記制御手段に電気的に連結されて制御され、前記駆動手段の回転方向を外部に表示するための表示手段とを含むことを特徴とする電動マスカラを提供する。
【００１２】
本発明の電動マスカラは、制御手段に電気的に連結されて前記駆動手段の作動を制御するための作動手段をさらに含み、前記作動手段は、前記表示手段の表示後に作動可能であることが望ましい。
【００１３】
前記作動手段はドーム形のスイッチであることが望ましい。
【００１４】
前記表示手段は発光ランプまたは発光ダイオードであることが望ましい。
【００１５】
本発明の電動マスカラは、前記駆動手段および前記制御手段と外部電源を電気的に連結するための開閉手段をさらに含むことが望ましい。
【００１６】
また、前記目的を達成するために、本発明は、内部にバッテリーを収納する主本体と；前記バッテリーと電気的に連結されるように前記主本体に固定設置され、ブラシ棒を回転させるためのモーター組立体（motor assembly）と；前記主本体の外周面に回転可能に結合される回転体と；前記回転体に固定設置され、前記モーター組立体の作動を制御するための制御基板と；  前記制御基板に設置され、前記モーター組立体の回転方向を外部に表示するための表示手段とを含むことを特徴とする電動マスカラを提供する。
【００１７】
本発明の電動マスカラは、回転体に回転を与えるために、前記主本体と結合される副本体をさらに含み、前記副本体には、前記ブラシ棒を保管するためのブラシ棒保管容器が着脱可能に結合されることが望ましい。
【００１８】
本発明の電動マスカラは、前記回転体の端側に固定設置される弾性ピンをさらに含み、前記弾性ピンには、前記回転体の回転の時、前記主本体に形成された少なくとも一つの溝に選択的に挿入される突起が形成されることが望ましい。
【００１９】
本発明の電動マスカラは、前記制御基板に電気的に連結されて前記モーター組立体の作動を制御するための作動スイッチをさらに含み、前記作動スイッチは前記表示ランプの表示後に作動可能であることが望ましい。
【００２０】
前記作動スイッチはドーム形であることが望ましい。
【００２１】
前記表示手段は発光ランプまたは発光ダイオードであることが望ましい。
【００２２】
本発明の電動マスカラは、前記モーター組立体および前記制御基板と前記バッテリーを電気的に連結するための開閉スイッチをさらに含むことが望ましい。
【発明の効果】
【００２３】
本発明の電動マスカラによれば、回転体の回転によってブラシ棒の回転方向を予め分かるので、使用者がまつげを手入れする作業がより易しくなる。
【００２４】
また、回転体を回して表示ランプをオンさせた後に作動スイッチを押せる場合に限り、モーターが作動するので、従来のように使用者が知らず間にスイッチがオンされてバッテリーが無駄に消耗するおそれがなくなる。
【００２５】
また、ブラシ棒保管容器が閉じた状態では開閉スイッチが常に開くようになって、モーター組立体と制御基板に供給される電源が根本的に遮断されることにより、ブラシ棒保管容器を開けなくてはマスカラを使用することができないので、従来のように使用者が知らず間にスイッチがオンされてバッテリーが無駄に消耗するおそれがなくなる。
【発明を実施するための最良の形態】
【００２６】
以下、添付図面を参照で本発明の好適な実施例による電動マスカラについて詳細に説明する。
【００２７】
図１に示すように、本実施例による電動マスカラ１００は、主本体１１０、副本体１２０、回転体１３０、制御基板１４０、モーター組立体１５０およびブラシ棒保管容器１６０を含む。
【００２８】
主本体１１０は電動マスカラ１００使用時に取っ手になる部分であって、図２の斜視図に具体的に示すように、第１円筒部１１１、第１回転体結合部１１２およびカバー結合部１１３を具備する。
【００２９】
第１円筒部１１１は中空状に形成され、第１回転体結合部１１２が形成された側面に接触ピン１１４が挿着される二つの挿入孔１１５が互いに向い合うように形成される。本実施例においては、接触ピン１１４として、ピン部が胴体に対して出入可能なポゴピン（pogo pins）を使用する。
【００３０】
第１回転体結合部１１２は第１円筒部１１１より小さな直径を持つ中空状に形成され、端側に二つの結合切欠部１１６が互いに向い合うように形成される。
【００３１】
カバー結合部１１３は第１円筒部１１１と第１回転体結合部１１２の中間直径を持つ中空状に形成され、外周面にネジ山１１７が形成される。
【００３２】
前述した構成の主本体１１０には、モーター組立体１５０を駆動するための多数のバッテリー１７１が第１円筒部１１１とカバー結合部１１３にわたって収納され、バッテリー１７１とモーター組立体１５０を電気的に連結して制御するバッテリー基板１７２が第１円筒部１１１内に固定設置される。また、バッテリー１７１が保管されたカバー結合部１１３には、バッテリー１７１の離脱を防止するためのカバー１１８が螺合される。
【００３３】
副本体１２０は、図３の斜視図により具体的に示すように、第２円筒部１２１と第２回転体結合部１２２を含む。
【００３４】
第２円筒部１２１は第１第１円筒部１１１とほぼ同一直径の中空状に形成され、内周面には、ブラシ棒保管容器１６０が螺合されるネジ山１２３が形成される。また、第２円筒部１２１の内側面には、モーター組立体１５０および制御基板１４０を電源であるバッテリー１７１と電気的に連結するための押しスイッチのような開閉スイッチ１７６が取り付けられる。開閉スイッチ１７６は、ブラシ棒保管容器１６０が挿着されて接触した時に開く状態になり、ブラシ棒保管容器１６０が取り外されて接触しなくなった時に閉じる状態になる。よって、本実施例の電動マスカラ１００は、ブラシ棒保管容器１６０を開けなくては根本的に作動することができない。
【００３５】
第２回転体結合部１２２は、第１回転体結合部１１２とほぼ同一直径の中空状に形成され、端側には、第１回転体結合部１１２の結合切欠部１１６に係合される二つの係合突起１２４が互いに向い合うように形成される。
【００３６】
回転体１３０は、図４の斜視図により具体的に示すように、中空円筒状に形成され、内側に第１回転体結合部１１２と第２回転体結合部１２２が嵌合される。この時、回転体１３０は、第１、第２回転体結合部１１２、１２２に対して軸方向に回転可能に形成される。ここで、回転体１３０の内径は第１回転体結合部１１２および第２回転体結合部１２２とほぼ同一であり、かつこの内径はモーター組立体１５０の外径とほぼ同一に形成される。
【００３７】
また、回転体１３０は外周面に平坦面１３１を持ち、端側に長手方向に一つの長細孔１３２と一つの長細溝１３３が形成される。長細溝１３３には、主本体１１０に移動可能に取り付けられた弾性片１７３が固定されるように挿着される。弾性片１７３は、一端に形成された突起１７４が主本体１１０の内周に沿って一定間隔で形成された二つの溝１１８に選択的に接触することになる。溝１１８間の距離は第１、第３接続端子１４４、１４６または第２、第４接続端子１４５、１４７間の距離と対応する。よって、回転体１３０が軸方向に回転する途中、接続端子１４４、１４５、１４６、１４７が接触ピン１１４と接触する度に突起１７４が溝１１８に挿入されて‘カチッ'という音がすることから、使用者が接続端子１４４、１４５、１４６、１４７の断続状態を易しく確認することができる。
【００３８】
制御基板１４０は制御手段であって、図５の斜視図により具体的に示すように、フレキシブル基板で形成され、環状の接続部１４１と板状のスイッチ／ランプ部１４２を含み、さらにモーター組立体１５０を制御するための回路１４３を含む。
【００３９】
環状の接続部１４１は回転体１３０の端側に取り付けられ、板状のスイッチ／ランプ部１４２は回転体１３０の長細孔１３２を貫いて平坦面１３１に固着される。
【００４０】
接続部１４１は、第１、第２接続端子１４４、１４５、そして第３、第４接続端子１４６、１４７が対をなして互いに対向するように設けられ、スイッチ／ランプ部１４２は、モーター組立体１５０の作動有無を制御する作動スイッチ１４８と、モーター組立体１５０の回転方向、すなわち時計方向と反時計方向を表示するための二つの表示ランプ１４９ａ、１４９ｂとを含む。この時、第１、第２接続端子１４４、１４５および第３、第４接続端子１４６、１４７は、主本体１１０に取り付けられた二つの接触ピン１１４と対応する位置に具備される。
【００４１】
第１、第２接続端子１４４、１４５と第３、第４接続端子１４６、１４７のそれぞれは二つの分離した端子から構成され、この分離した端子は、回転体１３０の回転によって接続端子１４４、１４５、１４６、１４７が主本体１１０に取り付けられた接触ピン１１４と接触した時に電気的に連結されることになる。
【００４２】
スイッチ／ランプ部１４２は、モーター組立体１５０を作動する作動スイッチ１４８とモーター組立体１５０の作動方向を表示する表示ランプ１４９ａ、１４９ｂとを含み、作動スイッチ１４８と表示ランプ１４９ａ、１４９ｂは制御基板１４０に設けられた回路１４３を介して第１、第２、第３、第４接続端子１４４、１４５、１４６、１４７と電気的に連結されている。ここで、表示ランプ１４９ａ、１４９ｂは、表示手段として発光ランプまたは発光ダイオードなどを使用することができる。
【００４３】
ここで、作動スイッチ１４８は、作動手段としてスチール製のドーム形スイッチを使用し、スイッチ／ランプ部１４２は、弾性を持つ薄型の透明カバー１７５によって外部から保護される。また、表示ランプ１４９ａ、１４９ｂは、使用者が作動方向を易しく区別することができるように、相違なる色相の光を発散するようにする。これに加えて、各表示ランプ１４９ａ、１４９ｂの上端または下端に、印刷などの方法で作動方向をさらに表示しておくこともできる。
【００４４】
モーター組立体１５０は駆動手段であって、図６の斜視図により具体的に示すように、円筒状本体１５１と回転軸１５２を含む。
【００４５】
円筒状本体１５１は、第１回転体結合部１１２、第２回転体結合部１２２および回転体１３０の内径と対応する外径を持ち、第１回転体結合部１１２、第２回転体結合部１２２および回転体１３０に固定されるように挿着される。
【００４６】
また、円筒状本体１５１は、図示していないが、内部にモーターと多数の遊星ギアが設けられることにより、ブラシ棒の回転に必要な適当な回転力と回転数を得ることができる。
【００４７】
回転軸１５２は副本体１２０の内側に突出して位置し、これにブラシ棒１６２が固定される。
【００４８】
ブラシ棒保管容器１６０は長手方向に長く形成され、一側は密閉され、他側は、外周面に、副本体１２０と結合するようにネジ山１６１が形成される。
【００４９】
前述した構成を持つ電動マスカラ１００は次のように作動する。
【００５０】
使用者が回転体１３０を‘カチッ'という音がするまで右側または左側に回せば、回転体１３０に搭載された制御基板１４０の接続部１４１も同一方向に回転して、第１、第２接続端子１４４、１４５または第３、第４接続端子１４６、１４７が接触ピン１１４と接触することになる。
【００５１】
この時、二つの表示ランプ１４９ａ、１４９ｂのいずれか一方が点灯され、使用者は表示ランプ１４９ａ、１４９ｂをからブラシ棒１６２の回転方向を確認した後、作動スイッチ１４８を押せば、モーター組立体１５０が駆動してブラシ棒１６２が所望方向に回転することになる。
【００５２】
このような作動を図７の回路図に基づいて具体的に説明する。
【００５３】
本回路図において、”開閉スイッチ”は図１の開閉スイッチ１７６と対応し、”スイッチ１”、”スイッチ２”、”スイッチ３”および”スイッチ４”の開閉はそれぞれ図５の制御基板１４０に形成された第１接続端子１４４、第２接続端子１４５、第３接続端子１４６および第４接続端子１４７の接触ピン１１４との接触／分離と対応し、”作動スイッチ”の開閉はスイッチ／ランプ部１４２の作動スイッチ１４８の作動と対応する。
【００５４】
まず、使用者がブラシ棒保管容器１６０を開けば、開閉スイッチ１７６が復元してモーター組立体１５０と制御基板１４０に電源が供給可能な状態になり、回転体１３０を図４の”Ａ”方向に回せば、図５の制御基板１４０も同一方向である”Ａ”方向に回転されて、第１接続端子１４４と第２接続端子１４５が主本体１１０に取り付けられた二つの接触ピン１１４にそれぞれ接触することになる。これは、回路図において、”開閉スイッチ”が閉じるとともに”スイッチ１”と”スイッチ２”が閉じて電気的に連結されることを意味する。この時、”ランプ１”が点灯して、ブラシ棒１６２が正方向である時計方向に回転することを知らせる。
【００５５】
この状態で、使用者が作動スイッチ１４８を押せば、モーター組立体１５０が正方向に作動してブラシ棒１６２を正方向に回転させることになる。これは、回路図において”作動スイッチ”が閉じて電気的に連結されて、”モーター”が正方向に回転することを意味する。
【００５６】
ついで、ブラシ棒保管容器１６０が開いた状態で、使用者が回転体１３０を図４のＢ方向に回せば、図５の制御基板１４０も同一方向である”Ｂ”方向に回転することになる。この時、第３接続端子１４６と第４接続端子１４７が主本体１１０に取り付けられた二つの接触ピン１１４にそれぞれ接触することになる。これは、回路図において”開閉スイッチ”が閉じるとともに”スイッチ３”と”スイッチ４”が閉じて電気的に連結されることを意味する。この時、”ランプ２”が点灯して、ブラシ棒１６２が逆方向である反時計方向に回転することを知らせる。
【００５７】
この状態で、使用者が作動スイッチ１４８を押せば、モーター組立体１５０が逆方向に作動してブラシ棒１６２を逆方向に回転させることになる。これは、回路図において”作動スイッチ”が閉じて電気的に連結されて、”モーター”が逆方向に回転することを意味する。
【００５８】
一方、使用者が作業を終えてブラシ棒保管容器１６０を結合して閉めれば、開閉スイッチ１７６が押されて、モーター組立体１５０と制御基板１４０に電源が供給できない状態になる。これは、回路図において”開閉スイッチ”が開いて電気的に分離されることを意味する。
【００５９】
以上、本発明の好適な実施例を参照して本発明の電動マスカラについて説明したが、本発明の思想を逸脱しない範囲内で多様な修正、変更および変形実施例が可能であることが当業者に明らかであろう。
【産業上の利用可能性】
【００６０】
本発明は、ブラシ棒の回転方向を外部に表示することで、使用者がこれを易しく確認することができるようにし、使用者の間違いなどによってバッテリーが無駄に消耗することを防止することができる電動マスカラに適用可能である。
【図面の簡単な説明】
【００６１】
【図１】本発明の好適な実施例による電動マスカラを示す概略断面図である。
【図２】図１の電動マスカラの主本体を示す概略斜視図である。
【図３】図１の電動マスカラの副本体を示す概略斜視図である。
【図４】図１の電動マスカラの回転体を示す概略斜視図である。
【図５】図１の電動マスカラの制御基板を示す概略斜視図である。
【図６】図１の電動マスカラのモーター組立体を示す概略斜視図である。
【図７】図５の制御基板の回路図である。
【符号の説明】
【００６２】
１００：電動マスカラ
１１０：主本体
１１１：第１円筒部
１１２：第１回転体結合部
１１３：カバー結合部
１１４：接触ピン
１２０：副本体
１２１：第２円筒部
１２２：第２回転体結合部
１３０：回転体
１４０：制御基板
１４１：環状の接続部
１４２：板状のスイッチ／ランプ部
１４４〜１４７：第１〜第４接続端子
１４９ａ、１４９ｂ：表示ランプ
１５０：モーター組立体
１５２：回転軸
１６０：ブラシ棒保管容器
１６２：ブラシ棒
１７１：バッテリー
【図１】
2007215987.tif 000003
【図２】
2007215987.tif 000004
【図３】
2007215987.tif 000005
【図４】
2007215987.tif 000006
【図５】
2007215987.tif 000007
【図６】
2007215987.tif 000008
【図７】
2007215987.tif 000009